(57)【特許請求の範囲】
【請求項１】
駆動モータと、該駆動モータの温度を検出する駆動モータ温度検出部と、該駆動モータ温度検出部により検出された駆動モータ温度が予め設定された駆動モータ停止温度以上になったときに該駆動モータを停止させる駆動モータ制御部と、を備える繊維機械において、
ファンモータにより駆動され前記駆動モータを送風冷却する冷却ファンと、
該ファンモータを塵埃から保護するフィルタと、
圧縮エア源から供給を受けた圧縮エアを吹付けて該フィルタに付着した塵埃を除去するエアノズルと、
前記駆動モータ温度が前記駆動モータ停止温度より予め低温側に設定されたフィルタ清掃温度以上となったときに該エアノズルへ圧縮エアを供給するエアノズル制御部と、を有することを特徴とする繊維機械における駆動モータの冷却装置。
【請求項２】
さらに、前記駆動モータ温度が前記フィルタ清掃温度より予め低温側に設定された冷却ファン始動温度以上であるときに前記冷却ファンを始動させ該駆動モータ温度が該冷却ファン始動温度未満であるときに該冷却ファンを停止させる冷却ファン制御部を有する請求項１記載の繊維機械における駆動モータの冷却装置。
【請求項３】
前記冷却ファン制御部は、さらに、前記駆動モータ温度が前記駆動モータ停止温度と前記フィルタ清掃温度との間に予め設定された冷却ファン増速温度以上であるときに前記冷却ファンを増速させることができる請求項２記載の繊維機械における駆動モータの冷却装置。
【発明の詳細な説明】
【０００１】
【発明の属する技術分野】
本発明は、駆動モータにより駆動される紡績機、織機等の各種繊維機械に用いられる駆動モータの冷却装置に関するものであり、より詳しくは、冷却ファンに係る駆動モータの冷却装置に関するものである。
【０００２】
【従来の技術】
最近の紡績機、織機等の各種繊維機械は、殆ど全てがモータ駆動されている。そして、生産性向上を図るために、繊維機械はより高速運転される傾向にあり、駆動モータには一層大きな負荷が掛るようになってきた。また、繊維機械の高機能化に伴い、使用される駆動モータの数が増加すると共に、それらが密集して配設されるようになった。
このような状況下、繊維機械の運転中に駆動モータは相当な発熱を伴い、しかも放熱性が悪いため、駆動モータは相当な高温になる場合がある。駆動モータが過度に高温になると、コイルの絶縁が不良になり駆動モータの性能が低下したり、駆動モータの軸受に注入されているグリースが溶出等して駆動モータの寿命が低下したりする。
【０００３】
そこで、従来、駆動モータの過熱を防止すべく、界磁コイルに温度検出スイッチを設けて、駆動モータが過熱すると駆動モータへの給電を遮断する安全回路を駆動モータに組込むことが実開昭６０−８６５７８号公報に開示されている。また、特開平５−４４１４３号公報には、駆動モータの温度を検出して基準値と比較し、駆動モータの温度がその基準値を超えているとき、異常信号を出力して、例えば、織機の回転速度を強制的に低下させることが開示されている。
また、実開昭５８−１３１９８１号公報や特開平７−１３３５２５号公報等には、このような駆動モータの過熱を防止するために、冷却ファンを設けて駆動モータを送風冷却することが開示されている。特に、特開平７−１３３５２５号公報には、冷却ファンによる冷却効率の低下を防止すべく、吸入口に設けたフィルタに付着した風綿等をブラストノズルからの空気流により、定期的に吹飛ばすことが開示されている。
【０００４】
【発明が解決しようとする課題】
ところが、実開昭６０−８６５７８号公報にあるように、駆動モータを停止させれば繊維機械の故障は防止できても、その復旧作業に長時間を要し、著しい生産性の低下を招くことになる。また、特開平５−４４１４３号公報にあるように織機の回転速度を強制的に低下させても、同様に生産性の著しい低下を免れない。
また、駆動モータの温度は、繊維機械の運転状況、運転環境、運転時間、繊維機械の種類、駆動モータの配置等により異なる。従って、特開平７−１３３５２５号公報にあるように、フィルタを定期的に清掃するのみでは駆動モータの過熱を必ずしも防止できない。
【０００５】
さらに、駆動モータ温度の上昇が通常より大きいときなどは、フィルタ清掃により冷却ファンの冷却効率を高めたとしても、駆動モータを十分に冷却できない場合も考えられる。
逆に、駆動モータの運転状況、設置位置等により駆動モータ温度の上昇が小さいとき、駆動モータを冷却ファン等により必ずしも強制冷却しなくても良い場合もある。このような場合まで冷却ファンにより強制冷却することは、省エネルギの観点から好ましくない。
【０００６】
本発明は、このような事情に鑑みて為されたものであり、駆動モータの保護を図りつつその停止の前に、駆動モータの過熱を抑制、防止して、繊維機械が安定的な運転を継続できるようにした繊維機械における駆動モータの冷却装置を提供することを目的とする。
【０００７】
【課題を解決するための手段】
そこで、本発明者はこの課題を解決すべく鋭意研究し、試行錯誤を重ねた結果、駆動モータの温度を検出して、駆動モータの温度が停止温度に至る前に駆動モータの冷却促進を図る方策を講じることを思いつき、本発明の繊維機械における駆動モータの冷却装置を開発するに至ったものである。
【０００８】
すなわち、本発明の繊維機械における駆動モータの冷却装置は、駆動モータと、該駆動モータの温度を検出する駆動モータ温度検出部と、該駆動モータ温度検出部により検出された駆動モータ温度が予め設定された駆動モータ停止温度以上になったときに該駆動モータを停止させる駆動モータ制御部と、を備える繊維機械において、ファンモータにより駆動され前記駆動モータを送風冷却する冷却ファンと、該ファンモータを塵埃から保護するフィルタと、圧縮エア源から供給を受けた圧縮エアを吹付けて該フィルタに付着した塵埃を除去するエアノズルと、前記駆動モータ温度が前記駆動モータ停止温度より予め低温側に設定されたフィルタ清掃温度以上となったときに該エアノズルへ圧縮エアを供給するエアノズル制御部と、を有することを特徴とする。
【０００９】
本発明の繊維機械における駆動モータの冷却装置によれば、従来の供給電流等により駆動モータ温度を予測していた場合と異なり、駆動モータ温度検出部がより正確な駆動モータ温度を検出し、この駆動モータ温度に基づいてエアノズル制御部がエアノズルを制御してフィルタ清掃を行い、フィルタの通気性を回復させる。このため、よりタイムリーに、冷却ファンによる冷却効率の改善が図られ、駆動モータ温度の上昇が抑制される。そして、このフィルタ清掃は、駆動モータ温度が駆動モータ停止温度より低温側のフィルタ清掃温度以上にあるときに行われるため、駆動モータの停止に至る前に駆動モータの過熱が防止され、繊維機械による生産性の低下を抑制、防止する上で好ましい。
さらに、駆動モータ温度が駆動モータ停止温度以上になったときに駆動モータを停止させる駆動モータ制御部を備えるため、フィルタ清掃で駆動モータ温度の上昇を十分に抑制できなかったとしても、駆動モータは過熱による損傷等に至る前に停止させられ、駆動モータは保護される。
【００１０】
また、前記駆動モータ温度が前記フィルタ清掃温度より予め低温側に設定された冷却ファン始動温度以上であるときに前記冷却ファンを始動させ該駆動モータ温度が該冷却ファン始動温度未満であるときに該冷却ファンを停止させる冷却ファン制御部を有すると、好適である。
【００１１】
駆動モータの始動直後や繊維機械の運転条件、運転雰囲気等によっては、駆動モータ温度が比較的低い状態で維持される場合がある。このように駆動モータ温度が冷却ファン始動温度より低い状態では、冷却ファンにより駆動モータを強制冷却する必要がないため、冷却ファン制御部は、冷却ファンを停止させることにより省エネルギ化を図れる。
一方、繊維機械の運転が継続されて駆動モータ温度が上昇してくると、駆動モータを冷却ファンにより強制的に冷却することで、駆動モータ温度の上昇を早期に抑制できる。そして、冷却ファンを始動して強制冷却を行うタイミングは、前述の駆動モータ温度検出部により検出された駆動モータ温度に基づいて正確に行われるため、繊維機械の運転を安定して継続できる。
【００１２】
また、前記冷却ファン制御部は、前記駆動モータ温度が前記駆動モータ停止温度と前記フィルタ清掃温度との間に予め設定された冷却ファン増速温度以上であるときに前記冷却ファンを増速させることができると、好適である。
【００１３】
繊維機械の高速運転が継続したり、繊維機械の運転条件や運転状況が変化すると、フィルタ清掃を行ったとしても、駆動モータ温度がフィルタ清掃温度を越えて上昇することも起り得る。このように駆動モータ温度がフィルタ清掃温度を越える場合、冷却ファン制御部が冷却ファンを増速して、冷却ファンによる冷却効率を増大させる。これによっても、駆動モータ温度が駆動モータ停止温度に至る前に駆動モータ温度の上昇が抑制され、繊維機械の運転が安定して継続され得る。
そして、この冷却ファンの増速も、駆動モータ温度検出部により検出された駆動モータ温度に基づいて正確に行われるため、効果的な駆動モータ温度の上昇抑制、防止が達成される。
なお、この冷却ファン増速制御は、前述の冷却ファン始動停止制御とは切離して行うものでも良い。
【００１４】
【発明の実施の形態】
本発明の駆動モータの冷却装置に係る実施形態を図１〜３を用いて説明する。本発明に係る繊維機械の一例として、エアジェットにより緯糸の緯入れを行う織機、即ち、エアジェットルーム１を図１に示した。このエアジェットルーム１は、開口する経糸の選択や開口タイミングの調整等が容易な電子開口装置２を備える。電子開口装置２は、綜絖と、それを駆動するリンク機構（歯車を含む）と、開口駆動モータとからなり、図１ではそれらの内の３組のみを示し、それぞれ綜絖枠Ｓｎ（ｎ＝１、２、３）、リンク機構Ｌｎ（ｎ＝１、２、３）、開口駆動モータＭｎ（ｎ＝１、２、３）と呼称した。なお、開口駆動モータＭｎが本発明でいう駆動モータに相当する。
【００１５】
ところで、エアジェットルーム１で製織される織布の品質は、綜絖枠Ｓｎの静止角が大きい程良くなることが知られているが、静止角を大きくすると、生産性の低下を招く。そこで、織布の品質と生産性との向上を図るためには、綜絖枠Ｓｎの上下動の速度を高速化することが必要となるが、これは開口駆動モータＭｎに相当の負荷を強いることとなる。このため、開口駆動モータＭｎはかなりの発熱を伴う場合が多い。しかも、綜絖枠Ｓｎの数（つまり、開口駆動モータＭｎの数）が増え、それらが密集して配設されると、各開口駆動モータＭｎの放熱性が低下して内部に蓄熱し、開口駆動モータＭｎが相当の高温になる。こうして開口駆動モータＭｎ、特にそのコイル部分が高温になると、コイルの絶縁性が低下したり、その熱が軸受に伝わって軸受寿命の低下を招いたりする。
【００１６】
そこで、開口駆動モータＭｎの温度上昇を抑制、防止するために、冷却ファン１０からなる冷却装置を備えることが有効となる。この冷却ファン１０は、図１および図２に示すように、ファンモータ１１と、そのファンモータ１１の軸に連結されたプロペラ１２と、筐体１３とからなる。なお、開口駆動モータＭｎは、ＡＣサーボモータであり、ファンモータ１１は、ＡＣモータ（インダクションモータ）である。
【００１７】
この冷却ファン１０の吸入口には、風綿等の塵埃がエアジェットルーム１内部へ侵入することを防止するために、網目状のフィルタ２０が設けられている。さらに、そのフィルタ２０と冷却ファン１０との間にはエアノズル３０が設けられており、エアノズル３０の先端細孔から圧縮エアが噴出するようになっている。そして、その先端細孔はフィルタ２０の内側から外側に指向しており、その先端細孔から圧縮エアがフィルタ２０の内側より吹付けられると、フィルタ２０の外側表面に付着した風綿等の塵埃が吹飛ばされるようになっている。
図２に示すように、このエアノズル３０は、常閉型の電磁弁３１を介して圧縮エア源３２に接続されており、その圧縮エア源３２からエアノズル３０に圧縮エアが供給される。この圧縮エア源３２は、エアジェットルーム１のエアジェット用の圧縮エア源と共用している。
【００１８】
次に、開口駆動モータＭｎ、冷却ファン１０、エアノズル３０の各制御部について説明する。各開口駆動モータＭｎのコイル近傍には温度により抵抗値が変化するサーミスタからなる温度センサＴｓが埋込まれている。この温度センサＴｓから得られる信号はアナログ信号であるため、エアジェットルーム１の織機制御コンピュータＣ内にあるＡ／Ｄ変換部Ｔａでデジタル信号に変換されて、織機制御コンピュータＣ内の比較部Ｔｃに送られる。なお、織機制御コンピュータＣは、エアジェットルーム１全体を制御する主制御部であり、この温度センサＴｓ（およびＡ／Ｄ変換部Ｔａ）が、本発明でいう駆動モータ温度検出部に相当する。そして、比較部Ｔｃは、そのＡ／Ｄ変換部Ｔａから送られてくる駆動モータ温度Ｔと、織機制御コンピュータＣの記憶部Ｔｍに記憶されている駆動モータ停止温度Ｔ０、冷却ファン増速温度Ｔ３、フィルタ清掃温度Ｔ２、冷却ファン始動温度Ｔ１とをそれぞれ比較して、後述の駆動モータ制御部Ｍｃ、冷却ファン制御部Ｒｃ、エアノズル制御部Ｎｃに適宜、指令を出す。
【００１９】
織機制御コンピュータＣ内の駆動モータ制御部Ｍｃは、サーボアンプＭａを介して開口駆動モータＭｎを制御する。特に、駆動モータ温度Ｔが駆動モータ停止温度Ｔ０以上となっているとき、比較部Ｔｃから指令を受けて開口駆動モータＭｎを停止させる。なお、このとき同時にエアジェットルーム１の主駆動モータ（図示せず）も停止させて、エアジェットルーム１全体を保護する。なお、図示していないが、この駆動モータ制御部Ｍｃは、開口駆動モータＭｎに取付けられたロータリエンコーダからの信号をもとに、開口駆動モータＭｎをフィードバック制御して、経糸の開口制御も行っている。
【００２０】
織機制御コンピュータＣ内の冷却ファン制御部Ｒｃは、インバータＲｍを介して冷却ファン１０のファンモータ１１の回転数を制御する。具体的には、比較部Ｔｃからの指令に基づいて、ファンモータ１１への供給電源を遮断して冷却ファン１０を停止（ファンモータ１１の回転数Ｎ＝０）させ、または、ファンモータ１１の回転数を少なくとも２段階（Ｎ１、Ｎ２：０＜Ｎ１＜Ｎ２）に設定する。
【００２１】
織機制御コンピュータＣ内のエアノズル制御部Ｎｃは、比較部Ｔｃおよび冷却ファン制御部Ｒｃからの指令を受けて、電磁弁３１のソレノイドを励消磁して、圧縮エア源３２からエアノズル３０への圧縮エアの供給、遮断を制御する。具体的には、エアノズル制御部Ｎｃにより電磁弁３１が励磁されると電磁弁３１は開弁して圧縮エア源３２からエアノズル３０に圧縮エアが供給され、消磁されると電磁弁３１は閉弁してエアノズル３０への圧縮エアの供給は遮断される。
【００２２】
次に、上述した各制御部による冷却ファン１０およびエアノズル３０の制御を、図３に示したフローチャートを用いて説明する。
先ず、比較部Ｔｃは、温度センサＴｓおよびＡ／Ｄ変換部Ｔａから駆動モータ温度Ｔの信号を受けて、記憶部Ｔｍに予め記憶設定されている冷却ファン始動温度Ｔ１、フィルタ清掃温度Ｔ２、冷却ファン増速温度Ｔ３および駆動モータ停止温度Ｔ０との各値を順に比較して、それぞれの状況に応じて各制御部に指令を出す。そして、各制御部はこの指令に基づいて、予め設定されている各処理を行う。
最初のステップＳ１で、比較部Ｔｃは、駆動モータ温度Ｔと冷却ファン始動温度Ｔ１との比較を行う。ここで、駆動モータ温度Ｔが冷却ファン始動温度Ｔ１より低い場合、比較部Ｔｃは冷却ファン制御部Ｒｃにファンモータ１１の回転数Ｎを０に維持する指令を出し、冷却ファン制御部Ｒｃはファンモータ１１への供給電力を遮断する（ステップＳ１１）。これにより、開口駆動モータＭｎの送風冷却が必要ないとき、省エネルギー化を図れる。
その後、比較部ＴｃはステップＳ１に戻り、駆動モータ温度Ｔの監視を継続して行い、駆動モータ温度Ｔが冷却ファン始動温度Ｔ１以上となっていたとき、ステップＳ２に進む。
【００２３】
そして、比較部Ｔｃは、ステップＳ２で、駆動モータ温度Ｔとフィルタ清掃温度Ｔ２との比較を行う。ここで、駆動モータ温度Ｔがフィルタ清掃温度Ｔ２より低い場合（Ｔ１≦Ｔ＜Ｔ２）、比較部Ｔｃは、冷却ファン制御部Ｒｃを始動してファンモータ１１の回転数ＮをＮ１に維持する指令を出し、冷却ファン制御部ＲｃはインバータＲｍを介してファンモータ１１への電力供給を開始し、ファンモータ１１の回転数ＮがＮ１になるようにインバータＲｍの周波数を定める（ステップＳ２１）。
その後、ステップＳ１に戻って、比較部Ｔｃは、駆動モータ温度Ｔの監視を継続し、駆動モータ温度Ｔが冷却ファン始動温度Ｔ１より低くなっているときは、前述のステップＳ１１に進み、冷却ファン始動温度Ｔ２以上となっていたとき、次のステップＳ３に進む。
【００２４】
そして、比較部Ｔｃは、ステップＳ３で、駆動モータ温度Ｔと冷却ファン増速温度Ｔ３との比較を行う。ここで、駆動モータ温度Ｔが冷却ファン増速温度Ｔ３より低い場合（Ｔ２≦Ｔ＜Ｔ３）、ステップＳ３１〜３６およびステップＳ５に進むが、これらのステップについては、後述する。
【００２５】
さらに、駆動モータ温度Ｔが冷却ファン増速温度Ｔ３以上となっている場合、比較部Ｔｃは、ステップＳ４に進み、駆動モータ温度Ｔと駆動モータ停止温度Ｔ０との比較を行う。ここで、駆動モータ温度Ｔが駆動モータ停止温度Ｔ０より低い場合（Ｔ３≦Ｔ＜Ｔ０）、比較部Ｔｃは、冷却ファン制御部Ｒｃに回転数ＮをＮ２に増速する指令を出し、冷却ファン制御部Ｒｃは、ファンモータ１１の回転数ＮがＮ２になるようにインバータＲｍの周波数を定める（ステップＳ４１）。その後、ステップＳ１に戻って、比較部Ｔｃは、駆動モータ温度Ｔの監視を継続し、駆動モータ温度Ｔが冷却ファン始動温度Ｔ１より低いときは、前述のステップＳ１１に進み、冷却ファン始動温度Ｔ１以上となっていたときは、ステップＳ２に進み、フィルタ清掃温度Ｔ２以上となっていたときは、後述のステップＳ３に進み、冷却ファン増速温度Ｔ３以上となっていたときは、冷却ファン１０の増速運転をそのまま続ける。さらに、駆動モータ温度Ｔが駆動モータ停止温度Ｔ０以上となっているとき、比較部Ｔｃは、駆動モータ制御部Ｍｃに指令を出して開口駆動モータＭｎを停止させると共に、図示しない主駆動モータも同時に停止させて、エアジェットルーム１全体を停止させる（ステップＳ６）。
【００２６】
ところで、駆動モータ温度Ｔがフィルタ清掃温度Ｔ２以上となると、比較部ＴｃはステップＳ３に進み、駆動モータ温度Ｔが冷却ファン増速温度Ｔ３未満であれば、織機制御コンピュータＣは、ステップＳ３１〜３６の処理を行う。これを具体的に説明すると、次のようになる。
比較部Ｔｃは、タイマ（ＴＩＭＥＲ１）がカウント中か否かを先ず判断する（ステップＳ３１）。ここで、タイマがカウント中であれば、後述のステップＳ５に飛ぶが、タイマがカウント中でなければ、比較部Ｔｃは冷却ファン制御部Ｒｃにファンモータ１１の回転数Ｎを一時的に０にするように指令し、冷却ファン制御部Ｒｃはファンモータ１１への電力供給を一時的に遮断する（ステップＳ３２）。その後、エアノズル制御部Ｎｃは、比較部Ｔｃおよび冷却ファン制御部Ｒｃから指令を受けて電磁弁３１を励磁して圧縮エア源３２からエアノズル３０に圧縮エアを供給し、フィルタ２０に付着した風綿等の塵埃を吹飛ばして除去する（ステップＳ３３）。このように冷却ファン１０の停止状態でエアノズル３０から圧縮エアが噴出されるから、その圧縮エア流が冷却ファン１０の送風によって打ち消されず、フィルタ２０の清掃は効率的に行われることになる。
そして、所定時間経過後にエアノズル制御部Ｎｃから冷却ファン制御部Ｒｃにフィルタ２０の清掃終了信号が送られるまで、エアノズル３０からの圧縮エア噴射が継続する（ステップＳ３４）。
、冷却ファン制御部Ｒｃは、清掃終了信号が入力されると、インバータＲｍを介してファンモータ１１への電力供給を開始し、ファンモータ１１の回転数ＮがＮ１となるようにインバータＲｍの周波数を定める（ステップＳ３５）。そして、ファンモータ１１の回転数Ｎ１の状態を所定時間維持して待機するため、タイマ（ＴＩＭＥＲ１）のカウントをスタートさせる（ステップＳ３６）。ここで、駆動モータ温度Ｔの上昇がフィルタ２０の目詰りに起因していたなら、フィルタ２０の清掃後に冷却ファン１０の運転をしばらく行うことにより、駆動モータ温度Ｔの降下を期待できる。
【００２７】
次に、比較部Ｔｃは、ステップＳ５に進み、駆動モータ温度Ｔと冷却ファン増速温度Ｔ３との比較を行う。ここで、駆動モータ温度Ｔが冷却ファン増速温度Ｔ３よりも低い場合（Ｔ＜Ｔ３）、ステップＳ１に戻る。そして、比較部Ｔｃは、駆動モータ温度Ｔの監視を継続し、駆動モータ温度Ｔが冷却ファン始動温度Ｔ１より低くなっているときは、前述のステップＳ１１に進み、冷却ファン始動温度Ｔ１以上となっていたときは、ステップＳ２に進む。駆動モータ温度Ｔがフィルタ清掃温度Ｔ２以上である場合（Ｔ２≦Ｔ）、ステップＳ３に進む。駆動モータ温度Ｔが冷却ファン増速温度Ｔ３未満のときは前述のステップＳ３１に進み、タイマ（ＴＩＭＥＲ１）のカウント中であればステップＳ５に進む。ここで、駆動モータ温度Ｔが冷却ファン増速温度Ｔ３以上となっているときには、比較部Ｔｃは、ステップＳ４に進み、前述のように冷却ファン１０の増速運転、若しくは駆動モータ等の停止を指令する。
【００２８】
以上の各ステップをエアジェットルーム１の運転中継続して、開口駆動モータＭｎの温度上昇を抑制、防止して、エアジェットルーム１を停止させる前に、安定的に継続運転できるようにしている。
本発明が上述した実施形態に限られないことは勿論のことであるが、例えば、次のような種々の形態を考えることができる。
【００２９】
上述の実施形態では、フィルタ清掃に、冷却ファンの始動や増速を組合わせたが、冷却ファンは繊維機械と共に定速回転始動させておき、駆動モータ温度がフィルタ清掃温度になったときに、フィルタ清掃のみを行うものでも良い。
また、開口駆動モータの冷却装置に限らず、エアジェットルームの主駆動モータの冷却装置等でも良いし、織機に限らず、紡績機等の駆動モータの冷却装置でも良い。さらに、駆動モータ、フィルタ、冷却ファン、エアノズルの数、種類、形状等は、適宜選択、組合わせれば良い。
また、エアノズルは、フィルタの内側に限らず、フィルタの外側に配設しても良く、フィルタの外表面に付着した塵埃を圧縮エアによりそぎ取るようにしても良い。また、エアノズルにルーバ等を設けて可動式ノズルとしても良い。
また、冷却ファンの吸入口は冷却ファンの直近になくても良く、冷却ファンの送風方向は冷却対称である駆動モータから冷却ファンに向うものでも良い。
ファンモータは、ＡＣモータに限らずＤＣモータでも良く、ＡＣモータなら構造が簡単で高寿命化を図れ、ＤＣモータならインバータ等が不要となり制御も容易である。
また、ファンモータの制御にインバータを使用せず、電源供給をＯＮ／ＯＦＦする開閉器等を付けて、簡易的に運転、停止を制御しても良い。
各制御部は、制御対象毎に別々に設けても良いが、繊維機械の主制御部と共用するとコスト、スペース等の点から好ましい。
【００３０】
【発明の効果】
本発明の繊維機械における駆動モータの冷却装置によれば、駆動モータの保護を図りつつ、繊維機械を安定して運転させることができる。
【図面の簡単な説明】
【図１】本発明の実施形態であるエアジェットルームの冷却装置を示す斜視図である。
【図２】本発明の実施形態であるエアジェットルームの冷却装置の制御部を示す模式図である。
【図３】本発明の実施形態であるエアジェットルームの冷却装置の制御プログラムを示すフローチャートである。
【符号の説明】
１         エアジェットルーム（繊維機械）
１０       冷却ファン
２０       フィルタ
３０       エアノズル
Ｎｃ       エアノズル制御部
Ｒｃ       冷却ファン制御部
Ｍｃ       駆動モータ制御部
Ｍｎ       開口駆動モータ（駆動モータ）
Ｔｓ       温度センサ（駆動モータ温度検出部）
Ｔ         駆動モータ温度
Ｔ０       駆動モータ停止温度
Ｔ１       冷却ファン始動温度
Ｔ２       フィルタ清掃温度
Ｔ３       冷却ファン増速温度
１１       ファンモータ
【図１】
0004217937.tif 000002
【図２】
0004217937.tif 000003
【図３】
0004217937.tif 000004